(57)【要約】【課題】植栽パネルの輸送時の損傷を低減し、かつ、輸送効率を向上する。【解決手段】植栽パネル１０は、板状のパネル本体１２と、パネル本体１２に形成された開口部１４と、開口部１４に挿入されてパネル本体１２に取り付けられ、開口部１４側が開口した植栽容器３０とを有する。また、植栽パネル１０では、植栽容器３０が挿入されていない開口部１４が目隠し蓋５０で塞がれている。【選択図】図１
2011024543.tif 000002
【特許請求の範囲】
【請求項１】
板状のパネル本体と、
前記パネル本体に形成された開口部と、
前記開口部に挿入されて前記パネル本体に取り付けられ、前記開口部側が開口した植栽容器と、
を有する植栽パネル。
【請求項２】
前記開口部は、複数個形成され、
前記植栽容器が挿入されていない開口部は、蓋で塞がれている請求項１に記載の植栽パネル。
【請求項３】
前記植栽容器は、前記パネル本体に取り外し自在に取り付けられる請求項１又は請求項２に記載の植栽パネル。
【請求項４】
前記植栽容器は、
前記パネル本体の表面から突出し、植物が植栽される収容部と、
前記収容部と一体成形され、前記開口部に嵌る嵌め込み部材と、
前記嵌め込み部材の抜け落ちを阻止する抜け落ち阻止手段と、
を有する請求項１〜請求項３のいずれか１項に記載の植栽パネル。
【請求項５】
前記抜け落ち阻止手段は、前記嵌め込み部材から突設され、前記パネル本体の裏面に当るフランジである請求項４に記載の植栽パネル。
【請求項６】
前記抜け落ち阻止手段は、
前記開口部の内壁に形成され、前記パネル本体の裏面に向かって拡がる壁テーパー面と、
前記嵌め込み部材の外周面に形成され、前記収容部に向かって狭まり、前記壁テーパー面と接触する容器テーパー面と、
を有する請求項４に記載の植栽パネル。
【請求項７】
請求項１〜請求項６の何れか１項に記載の植栽パネルが取り付けられる構造物の壁面と、
前記植栽パネルと前記壁面の間に設けられた保水層と、
を有する壁面緑化構造。
【請求項８】
前記壁面が傾斜しているとき、前記収容部の上面が水平となるように前記植栽容器が加工されている請求項７に記載の壁面緑化構造。
【発明の詳細な説明】
【技術分野】
【０００１】
本発明は、植栽パネル及び壁面緑化構造に関する。
【背景技術】
【０００２】
建物外壁等の垂直な壁面の緑化は、気温緩和効果（夏期には構造物の温度上昇抑制、冬期には構造物の断熱効果）、防音効果、暴風効果、防火的効用や火災延焼防止効果が認められ、景観の向上および植物のもつ環境改善効果もある。
【０００３】
特許文献１には、壁面にフェルトや不織布からなる基盤を配置して、この中に植物の苗を植え込むことで、壁面緑化を行う方法が開示されている。しかし、特許文献１の方法では、基盤に植え込んだ植物は、地面に対して略平行に向くので、植物が成長しづらい。
【０００４】
特許文献２には、植物の根を植え込んだ植栽基盤を内部に収容し、植物部分を外部に露出させるように開口部を設けた植栽パネルが開示されている。しかし、特許文献２の構成も特許文献１と同様に、基盤に植え込んだ植物は、地面に対して略平行に向くため成長しづらい。
【０００５】
そこで、特許文献３には、図１８（Ａ）に示すように、植栽パネル５００が、板状のパネル本体５０２と、このパネル本体５０２と一体的に形成され、植物を植栽するポケット５０４とを有した構成が開示されている。この構成によれば、植物は当該ポケット５０４から地面に対して垂直に生育することが可能である。
【先行技術文献】
【特許文献】
【０００６】
【特許文献１】特開２００４−２５４５５９号公報
【特許文献２】特開２００８−１１３５７７号公報
【特許文献３】特開２００８−２９３２２号公報
【発明の概要】
【発明が解決しようとする課題】
【０００７】
しかしながら、特許文献３の構成では、ポケット５０４がパネル本体５０２から突き出ているため、図１８（Ｂ）に示すように、植栽パネル５００を複数枚上に積み重ねて輸送する時、植栽パネル５００のポケット５０４が他の植栽パネル５００のパネル本体５０２に接触してポケット５０４やパネル本体５０２が損傷してしまう。
【０００８】
また、パネル本体５０２の表面からポケット５０４が外側に突き出しているため、植栽パネル５００を複数枚重ねた状態では、植栽パネル５００同士の間に無駄な隙間５０６が形成されてしまい、植栽パネル５００の輸送効率が悪かった。
【０００９】
本発明は、上記事実を考慮し、輸送時の損傷を低減し、かつ、輸送効率を向上することが可能な植栽パネル及び壁面緑化構造を提供することを目的とする。
【課題を解決するための手段】
【００１０】
第１態様の発明は、板状のパネル本体と、前記パネル本体に形成された開口部と、前記開口部に挿入されて前記パネル本体に取り付けられ、前記開口部側が開口した植栽容器と、を有する植栽パネルである。
【００１１】
第１態様に記載の発明によれば、植栽パネルは、植栽容器をパネル本体に形成された開口部に挿入して取り付ける構成であるので、植栽パネルの輸送時には、植栽パネルをパネル本体と植栽容器に分離して複数のパネル本体を積み重ねることができる。これにより、植栽パネルをコンパクトに輸送でき、植栽パネルの輸送効率を向上させることができる。また、パネル本体と植栽容器が接触することを防止でき、輸送時における植栽容器及びパネル本体の損傷を低減することができる。
【００１２】
第２態様の発明は、前記開口部は、複数個形成され、前記植栽容器が挿入されていない開口部は、蓋で塞がれている植栽パネルである。
【００１３】
第２態様に記載の発明によれば、パネル本体に形成された複数の開口部が全て植栽容器又は蓋で塞がれることになるので、開口部が視認されることがなく、植栽パネルの意匠性が損なわれることを防止することができる。
【００１４】
第３態様の発明は、前記植栽容器は、前記パネル本体に取り外し自在に取り付けられる植栽パネルである。
【００１５】
第３態様に記載の発明によれば、植栽容器は、パネル本体に取り外し自在に取り付けられるので、この植栽容器をパネル本体から取り外し、他の植栽容器や蓋をパネル本体の開口部に挿入して取り付けることができる。このため、植栽容器のレイアウトを変更することができる。
【００１６】
第４態様の発明は、前記植栽容器は、前記パネル本体の表面から突出し、植物が植栽される収容部と、前記収容部と一体成形され、前記開口部に嵌る嵌め込み部材と、前記嵌め込み部材の抜け落ちを阻止する抜け落ち阻止手段と、を有する植栽パネルである。
【００１７】
第４態様に記載の発明によれば、パネル本体の開口部に嵌め込み部材が嵌り、抜け落ち阻止手段により嵌め込み部材の抜け落ちが阻止されるため、植栽容器をパネル本体へ取り付けることができる。
【００１８】
第５態様の発明は、前記抜け落ち阻止手段は、前記嵌め込み部材から突設され、前記パネル本体の裏面に当るフランジである植栽パネルである。
【００１９】
第５態様に記載の発明によれば、パネル本体の裏面から植栽容器を開口部へ挿入すると、パネル本体の裏面にフランジが当たって、パネル本体の表面から収容部が突き出て、パネル本体へ植栽容器が取り付けられる。このため、植栽容器がワンタッチでパネル本体に取り付けられる。また、植栽容器の抜け落ちを阻止するための部材を設ける必要が無い。
【００２０】
第６態様の発明は、前記抜け落ち阻止手段は、前記開口部の内壁に形成され、前記パネル本体の裏面に向かって拡がる壁テーパー面と、前記嵌め込み部材の外周面に形成され、前記収容部に向かって狭まり、前記壁テーパー面と接触する容器テーパー面と、を有する植栽パネルである。
【００２１】
第６態様に記載の発明によれば、パネル本体の裏面から開口部に植栽容器を挿入すると、壁テーパー面と容器テーパー面が接触して、植栽容器がワンタッチでパネル本体に取り付けられる。また、ネジや接着剤等で植栽容器をパネル本体に固定する場合に比べ、製造コストを低減できる。
【００２２】
第７態様の発明は、上記植栽パネルが取り付けられる構造物の壁面と、前記植栽パネルと前記壁面の間に設けられた保水層と、を有する壁面緑化構造である。
【００２３】
第７態様に記載の発明によれば、植栽容器に植栽される植物の根が植栽容器の開口部を通じて保水層に絡みつくので、植物の剥離や落下の恐れがなくなる。また、植物の育成を向上させることができる。
【００２４】
第８態様の発明は、前記壁面が傾斜しているとき、前記収容部の上面が水平となるように前記植栽容器が加工されている壁面緑化構造である。
【００２５】
第８態様に記載の発明によれば、収容部の上面が水平となるように植栽容器が加工されているため、パネル本体が取り付けられる壁面が傾斜していても、収容部から植物の実や種の流出を防ぎ、収容部内で植物を自然に繰り返し育成させることができる。また、パネル本体と植栽容器は別個に形成されているので、パネル本体と植栽容器が一体形成されている場合に比べ、植栽容器を自由に加工できるため、収容部の上面が水平となるように植栽容器を加工することも容易に行うことができる。
【発明の効果】
【００２６】
本発明によれば、植栽パネルの輸送時の損傷を低減し、かつ、輸送効率を向上することできる。
【図面の簡単な説明】
【００２７】
【図１】本発明の第１実施形態に係る植栽パネルの外観斜視図である。
【図２】図１に示す植栽パネルのＡ−Ａ矢視断面図である。
【図３】図１に示すパネル本体の外観斜視図である。
【図４】（Ａ）は、図１に示す植栽容器の概観斜視図である。（Ｂ）は、図１に示す目隠し蓋の概観斜視図である。
【図５】図４に示す植栽容器と目隠し蓋のパネル本体への取り付け途中の状態を示した図である。
【図６】（Ａ）は、本発明の第１実施形態に係る壁面緑化構造を示す外観斜視図であり（Ｂ）は、図６（Ａ）に示す壁面緑化構造の縦断面図である。
【図７】図６（Ａ）に示す壁面緑化構造の分解斜視図である。
【図８】本発明の第１実施形態に係る植栽パネルの作用を示す図である。
【図９】本発明の第２実施形態に係る植栽パネルの外観斜視図である。
【図１０】図９に示す植栽パネルのＢ−Ｂ矢視断面図である。
【図１１】（Ａ）は、図９に示す植栽容器の外観斜視図であり、（Ｂ）は、図９に示す目隠し蓋の外観斜視図である。
【図１２】第１実施形態で説明した植栽容器の形状の変形例を示す図である。
【図１３】第１実施形態で説明した植栽パネルのレイアウトの変形例を示す図である。
【図１４】第１及び第２実施形態で説明した植栽容器の変形例を示す図であり、パネル本体の表面側から開口部に挿入して取り付ける植栽容器の外観斜視図である。
【図１５】図１４と同様に、第１及び第２実施形態で説明した植栽容器の変形例を示す図であり、パネル本体の表面側から開口部に挿入して取り付ける植栽容器の外観斜視図である。
【図１６】第１実施形態で説明した植栽パネルの背面形状の変形例を示す図である。
【図１７】（Ａ）及び（Ｂ）は、第１実施形態で説明した壁面緑化構造の変形を示す図である。
【図１８】（Ａ）は、従来の植栽パネルの外観斜視図であり、（Ｂ）は、従来の植栽パネルの作用を示す図である。
【発明を実施するための形態】
【００２８】
＜第１実施形態＞
以下、本発明の実施形態の一例を図面を参照して説明する。なお、実質的に同様の機能を有するものには、全図面通して同じ符号を付して説明し、場合によってはその説明を省略することがある。
【００２９】
（植栽パネルの構成）
図１は、本発明の第１実施形態に係る植栽パネルの外観斜視図である。また、図２は、図１に示す植栽パネルのＡ−Ａ矢視断面図である。
【００３０】
本発明の第１実施形態に係る植栽パネル１０は、板状のパネル本体１２を有している。
【００３１】
このパネル本体１２のサイズは、１０００ｍｍ×１０００ｍｍ×３０ｍｍである。また、パネル本体１２の素材は、発泡スチロール等の合成樹脂、金属類、ＧＲＣ（ガラス繊維補強セメント）、ＦＲＰ（ガラス繊維補強プラスチック）、ＣＦＲＰ（炭素繊維補強プラスチック）等の材料が挙げられ、特に限定されないが、本第１実施形態では、発泡スチロールにウレタン塗膜されたデコフォルムを用いる。さらに、パネル本体１２の全面には、パネル本体１２の素材に応じた耐候性塗料が塗装されている。
【００３２】
図３は、図１に示すパネル本体１２の外観斜視図である。同図に示すように、パネル本体１２には、開口部１４が所定の間隔で９個形成されている。これら開口部１４は、パネル本体１２の表面１２Ａから裏面１２Ｂへ貫通しており、平面形状は四角形である。また、各開口部１４の大きさは、縦幅が１００〜２５０ｍｍ、横幅が１００〜１５０ｍｍ、奥行きが３０ｍｍである。
【００３３】
図５に示すように、パネル本体１２の裏面１２Ｂには、開口部１４及びパネル本体１２の外周部へ抜ける複数の溝１６が所定の間隔で形成されている。これにより、植栽パネル１０の裏面に、後述する保水吸水シート７４（図６（Ｂ）参照）を設けたとき、植栽パネル１０と保水吸水シート７４の間には、溝１６によって隙間が形成される。
【００３４】
また、パネル本体１２には、所定の間隔で、後述するボルト７０（図７参照）が挿通可能な挿通孔１８が４箇所形成されている。さらに、パネル本体１２の上下左右の側端面には、それぞれ臍２０が形成されている。これにより、植栽パネル１０を並設したときに、隣接する植栽パネル１０の臍２０と不図示の連結板で連結され、複数枚の植栽パネル１０が建物壁面に取り付けられる（詳細は、特許文献３の図１１参照）。
【００３５】
図４（Ａ）は、図１に示す植栽容器の概観斜視図である。
【００３６】
図１及び図４（Ａ）に示すように、植栽パネル１０は、５個の植栽容器３０を有している。各植栽容器３０は、パネル本体１２の４隅にある開口部１４と、中央部にある開口部１４にそれぞれ挿入されてパネル本体１２に取り外し自在に取り付けられており、開口部１４側が開口している。各植栽容器３０内には、植物、例えばタブノキ、ヤマモモ、ヤブツバキ、ヤマザクラ、ヤマモミジ、コナラ等の樹木が植栽される。
【００３７】
植栽容器３０のサイズは、縦幅Ｌが１５０〜２５０ｍｍであり、横幅Ｗが１００〜１５０ｍｍで、厚みＤが１００〜１５０ｍｍである。厚みＤは、強度と植物育成性能が確保することが可能であれば薄い方が好ましい。また、植栽容器３０の素材は、パネル本体１２の素材と同一のものが挙げられ、特に限定されないが、本第１実施形態では発泡スチロールにウレタン塗膜されたデコフォルムを用いる。さらに、植栽容器３０の全面には、植栽容器３０の素材に応じた耐候性塗料が塗装されている。
【００３８】
このような植栽容器３０は、上述の植物が植栽される収容部３２を有している。収容部３２は、上から下に向かって徐々に縮径された逆円錐形状の容器を約２分の１に分割した形状とされ、収容部３２の上部の第１開口部３６から土壌が投入される。この構成により、第１開口部３６内に土壌を投入して植物を植栽したとき、土壌が収容部３２によって保持される。
【００３９】
この収容部３２は、四角形状の嵌め込み台３８の表面３８Ａへ一体成形されている。嵌め込み台３８は、パネル本体１２の開口部１４に嵌るように、開口部１４のサイズ・形状と略同一のサイズ・形状とされている。
【００４０】
この嵌めこみ台３８の中央部には、嵌めこみ台３８を貫通し、第１開口部３６と連通する第２開口部４０が形成されている。これにより、植栽容器３０がパネル本体１２の開口部１４に挿入されてパネル本体１２の開口部１４が塞がれても、植栽容器３０に植栽された植物の根は、第２開口部４０を通過して、パネル本体１２の裏面１２Ｂの先へと延伸することが可能となる。
【００４１】
嵌め込み台３８の裏面３８Ｂには、複数のフランジ（鍔）４４が嵌め込み台３８から外側へ突設している。このフランジ４４は、図５に示すように、植栽容器３０の収容部３２及び嵌め込み台３８がパネル本体１２の裏面１２Ｂから開口部１４に挿入される時に、パネル本体１２の裏面１２Ｂに当たり、植栽容器３０がパネル本体１２の表面１２Ａから抜け落ちることを阻止する。また、フランジ４４は、隙間４２をあけて配置されており、植栽容器３０をパネル本体１２に取り付けたとき、隙間４２は溝１６と重なり、溝１６を塞がないようになっている。
【００４２】
図４（Ｂ）は、図１に示す目隠し蓋５０の概観斜視図である。
【００４３】
図１及び図４（Ｂ）に示すように、植栽容器３０の他に、植栽パネル１０は、４個の目隠し蓋５０を有している。各目隠し蓋５０は、植栽容器３０が挿入されていない開口部１４にそれぞれ挿入されてパネル本体１２に取り外し自在に取り付けられており、当該開口部１４が目隠し蓋５０で塞がれている。
【００４４】
目隠し蓋５０の素材は、パネル本体１２及び植栽容器３０の素材と同一のものが挙げられ、特に限定されないが、本第１実施形態では、発泡スチロールにウレタン塗膜されたデコフォルムを用いる。さらに、目隠し蓋５０の全面には、目隠し蓋５０の素材に応じた耐候性塗料が塗装されている。
【００４５】
目隠し蓋５０は、四角形状の嵌め込み台５２を有している。嵌め込み台５２は、パネル本体１２の開口部１４に嵌るように、開口部１４のサイズ・形状と略同一のサイズ・形状とされている。
【００４６】
嵌め込み台５２の裏面５２Ａには、複数のフランジ（鍔）５６が嵌め込み台５２から外側へ突設している。フランジ５６は、図５に示すように、目隠し蓋５０の嵌め込み台５２がパネル本体１２の裏面１２Ｂから開口部１４に挿入される時に、パネル本体１２の裏面１２Ｂに当たり、目隠し蓋５０がパネル本体１２の表面１２Ａから抜け落ちることを阻止する。また、フランジ５６は、隙間５４をあけて配置されており、目隠し蓋５０をパネル本体１２に取り付けたとき、隙間５４は溝１６と重なり、溝１６を塞がないようになっている。
【００４７】
（壁面緑化構造）
上述した植栽パネル１０は、本発明の第１実施形態に係る壁面緑化構造の構成要素として用いられる。以下、壁面緑化構造について簡単に説明する。
【００４８】
図６（Ａ）は、本発明の第１実施形態に係る壁面緑化構造を示す外観斜視図であり、図６（Ｂ）は、図６（Ａ）に示す壁面緑化構造の縦断面図である。また、図７は、図６（Ａ）に示す壁面緑化構造の分解斜視図である。
【００４９】
本発明の第１実施形態に係る壁面緑化構造６０では、建物外壁の壁面６２に、アンカーボルト６４によってＳ字プレート６６が取り付けられている。このＳ字プレート６６には、背面ボード６８の裏面にボルト７０で固定されたＳ字プレート７２が係合しており、これらＳ字プレート６６及びＳ字プレート７２によって、背面ボード６８が壁面６２に取り付けられている。なお、背面ボード６８は、ＰＶＣ、コンパネ、コンクリート、石材、レンガ、鋼板等が用いられる。
【００５０】
背面ボード６８の表面には、保水吸水シート７４が固定されている。具体的には、保水吸水シート７４に所定の間隔で切欠７６が形成されており（図７参照）、背面ボード６８の表面（保水吸水シート７４が取り付けられる面）に突出したボルト７０に、この切欠７６が引っ掛けられる。そして、接着剤もしくはタッカーにより、背面ボード６８に保水吸水シート７４が固定されている。
【００５１】
この保水吸水シート７４は、１０〜３０ｍｍの厚みを有し、フェルト、不織布、ウレタン、ヤシ繊維、スポンジ、またはこれらの素材に熱感応性ゲルや保水性ゲルを混入させたもので形成され、植物の根が侵入可能とされている。
【００５２】
保水吸水シート７４の上端は、灌水ホース７８に巻き付けられている。灌水ホース７８は、固定具７９にて背面ボード６８及び植栽パネル１０に固定されており、図示しないパイプを介して、高圧ポンプにより水槽から水が高圧で送水される。また、灌水ホース７８には、水を灌水する灌水口８０が所定の間隔（本実施形態では、２〜５ｃｍ）で設けられている。これにより、水槽から灌水ホース７８に送水された水が、灌水口８０から灌水されて、保水吸水シート７４に吸水される。灌水は、１日４・５回程度実施し、１回の灌水時間は３〜５分とする。
【００５３】
また、保水吸水シート７４の表面には、植栽パネル１０が６枚取り付けられている。これら６枚の植栽パネル１０は、保水吸水シート７４上に２段で配置されており、上側の段に３枚、下側の段に３枚配置されている。
【００５４】
各植栽パネル１０の植栽容器３０には、土壌８２が収容され、植物８４が植栽されている。また、各植栽パネル１０の挿通孔１８には、背面ボード６８の表面に突出し、保水吸水シート７４の切欠７６を貫通したボルト７０が挿通され、各植栽パネル１０は、背面ボード６８及び保水吸水シート７４と共に壁面６２に取り付けられている。
【００５５】
さらに、各植栽パネル１０の表面には、長板状の鋼板バー８６が配置されている。この鋼板バー８６には孔８８（図７参照）が形成されており、各植栽パネル１０の表面に突出したボルト７０が、この孔８８に挿通されて、不図示のワッシャーを介してナット９０により締結されている。これにより、植栽パネル１０が、壁面６２との間に背面ボード６８及び保水吸水シート７４を挟み込んだ状態で、壁面６２に固定される。
【００５６】
このとき、横方向に並設された３枚の植栽パネル１０は、１枚の鋼板バー８６で壁面６２に押さえつけられている。また縦方向に並設された２枚の植栽パネル１０も、１枚の鋼板バー８６で壁面６２に押さえつけられている。このような構成により、複数枚の植栽パネル１０を並設しても、鋼板バー８６によって壁面６２に固定されるので、植栽パネル１０の端部が浮き上がりにくい。
【００５７】
なお、図示は省略するが、壁面６２に取り付けた背面ボード６８、保水吸水シート７４及び植栽パネル１０の周囲には、見切り材を取り付けている。これにより、背面ボード６８、保水吸水シート７４及び植栽パネル１０の横方向のズレを防いでいる。
【００５８】
（第１実施形態の作用及び効果）
本発明の第１実施形態によれば、図１〜図５に示すように、植栽パネル１０は植栽容器３０をパネル本体１２に形成された開口部１４に挿入して取り付ける構成であるので、植栽パネル１０の輸送時には、図８に示すように、植栽パネル１０をパネル本体１２と植栽容器３０（図８では不図示）に分離して複数のパネル本体１２を積み重ねることができる。これにより、図１８（Ｂ）のように植栽パネル５００同士の間に隙間５０６を形成して重ねる場合と比べて、植栽パネル１０をコンパクトに輸送でき、植栽パネル１０の輸送効率を向上させることができる。また、パネル本体１２と植栽容器３０が接触することを防止でき、輸送時における植栽容器３０及びパネル本体１２の損傷を低減することができる。
【００５９】
また、植栽容器３０が挿入されていない開口部１４は、目隠し蓋５０で塞がれているため、パネル本体１２に形成された複数の開口部１４が全て植栽容器３０又は蓋５０で塞がれることになる。これにより、開口部１４が視認されることがなく、植栽パネル１０の意匠性を損なうことを防止することができる。
【００６０】
さらに、植栽容器３０は、パネル本体１２に取り外し自在に取り付けられるので、この植栽容器３０をパネル本体１２から取り外し、他の種類の植栽容器や蓋５０をパネル本体の開口部に挿入して取り付けることができる。このため、植栽容器のレイアウト、ひいては植栽パネル１０のレイアウトを変更することができる。なお、図６に示すように、植栽パネル１０が壁面６２に取り付けられている状態で植栽容器３０を取り外すには、壁面緑化構造６０から鋼板バー８６を取り外し、複数ある植栽パネル１０のうちレイアウト変更する植栽容器３０を有した植栽パネル１０のみを取り外す。
【００６１】
さらにまた、図２に示すように、嵌め込み台３８のサイズ・形状が、開口部１４のサイズ・形状と略同一のサイズ・形状とされているため、パネル本体１２の開口部１４に植栽容器３０の嵌め込み台３８が嵌る。このため、植栽容器３０をパネル本体１２に安定して取り付けることができる。
【００６２】
また、パネル本体１２の裏面１２Ｂから植栽容器３０を開口部１４へ挿入すると、パネル本体１２の裏面１２Ｂにフランジ４４が当たって、パネル本体１２の表面１２Ａから収容部３２が突き出てパネル本体１２へ植栽容器３０が取り付けられる。このため、植栽容器３０がワンタッチでパネル本体１２に取り付けられる。また、植栽容器３０の抜け落ちを阻止するための部材を設ける必要が無い。なお、目隠し蓋５０についても、フランジ５６が設けられているので、植栽容器３０の効果と同一の効果を奏する。
【００６３】
さらに、本発明の第１実施形態に係る壁面緑化構造６０によれば、図６、図７に示すように、保水吸水シート７４を設けることで、灌水ホース７８から灌水された水が、保水吸水シート７４全体に吸収されるので、植栽容器３０に植栽された植物８４の根へまんべんなく水が行き渡る。また、植物８４の根が、第２開口部４０（開口部１４）から植栽パネル１０の裏面に侵入し、保水吸水シート７４に絡みつくので、植物８４の剥離や落下の恐れがなくなる。また、植物８４の育成を向上させることができる。
【００６４】
＜第２実施形態＞
次に、本発明の第２実施形態に係る植栽パネルについて説明する。なお、本第２実施形態では、第１実施形態と同様の部分については同一の符号を付して、その詳細な説明は省略する。
【００６５】
図９は、本発明の第２実施形態に係る植栽パネルの外観斜視図である。また、図１０は、図９に示す植栽パネルのＢ−Ｂ矢視断面図である。
【００６６】
本発明の第２実施形態に係る植栽パネル１００は、板状のパネル本体１０２を有している。パネル本体１０２は、当該パネル本体１０２の表面１０２Ａから裏面１０２Ｂへ貫通する９個の開口部１０４と、これら開口部１０４の内壁に形成され、パネル本体１０２の裏面１０２Ｂに向かって拡がる壁テーパー面１０６を有している。
【００６７】
また、植栽パネル１００は、４個の植栽容器１０８を有している。各植栽容器１０８は、パネル本体１０２の中央部から上下左右にある開口部１０４にそれぞれ挿入されてパネル本体１０２に取り外し自在に取り付けられており、開口部１０４側が開口している。
【００６８】
さらに、植栽パネル１００は、５個の目隠し蓋１１０を有している。各目隠し蓋１１０は、植栽容器１０８が挿入されていない開口部１０４にそれぞれ挿入されてパネル本体１０２に取り外し自在に取り付けられており、当該開口部１０４が目隠し蓋１１０で塞がれている。
【００６９】
図１１（Ａ）は、図９に示す植栽容器１０８の外観斜視図であり、図１１（Ｂ）は、図９に示す目隠し蓋１１０の外観斜視図である。
【００７０】
植栽容器１０８には、第１実施形態のものと異なり、抜け落ち阻止手段としてのフランジが設けられていない。そして、その代わりとして、嵌め込み台１１２の外周面に形成され、収容部３２に向かって狭まり、壁テーパー面１０６と接触する容器テーパー面１１４が設けられている。なお、容器テーパー面１１４のテーパー角度は、壁テーパー面１０６の角度に対応して設定されている。
【００７１】
同様に、目隠し蓋１１０にも、抜け落ち阻止手段としてのフランジが設けられていない。そして、その代わりとして、嵌め込み台１１６の外周面に形成され、嵌め込み台１１６の表面に向かって狭まり、壁テーパー面１０６と接触する蓋テーパー面１１８が設けられている。なお、蓋テーパー面１１８のテーパー角度は、壁テーパー面１０６の角度に対応して設定されている。
【００７２】
図９及び図１０に戻って、壁テーパー面１０６と、容器テーパー面１１４及び蓋テーパー面１１８は、完全に密着している。
【００７３】
以上のように、本発明の第２実施形態によれば、パネル本体１２の裏面１２Ｂから開口部１４に植栽容器１０８を挿入すると、壁テーパー面１０６と容器テーパー面１１４が接触して、植栽容器１０８がワンタッチでパネル本体１２に取り付けられる。また、ネジや接着剤等で植栽容器をパネル本体に固定する場合に比べ、製造コストを低減できる。なお、目隠し蓋１１０についても、蓋テーパー面１１８を有しているため、植栽容器１０８と同一の効果を奏する。
【００７４】
＜変形例＞
なお、本発明は、上記の実施形態に限るものではなく、本発明の要旨を逸脱しない限りにおいて、種々の変形、変更、改良が成される。
【００７５】
例えば、第１実施形態では、パネル本体１２、開口部１４、植栽容器３０、目隠し蓋５０の形状・大きさについて詳細に説明したが、本発明では特に限定されることはなく、如何なる形状・大きさをも採用することができる。一例としては、第１実施形態では、植栽容器３０の収容部３２が、逆円錐形状の容器を約２分の１に分割した形状とされている場合を説明したが、図１２に示すように、植栽容器１３０の収容部１３２を箱型形状とすることもできる。また、この植栽容器１３０を用いて、植栽パネル１４０のレイアウトを、図１３に示すようにすることもできる。
【００７６】
さらに、第１実施形態では、植栽容器３０内に、植物のうち、特に樹木が植栽される場合を説明したが、草本が植栽されてもよく、また同様に図１２に示す植栽容器１３０にも何れの植物が植栽されても良い。ただし、大きな樹木を植栽する場合には、樹木の根を細長く納めるために、縦長の植栽容器であることが好ましい。
【００７７】
さらにまた、本発明に係る植栽容器としては、第１実施形態で説明したフランジ４４と、第２実施形態で説明した容器テーパー面１１４を組み合わせて作製しても良い。
【００７８】
また、第１及び第２実施形態では、パネル本体１２、１０２の裏面１２Ｂ、１０２Ｂ側から開口部１４、１０４に挿入して取り付ける植栽容器３０、１０８について説明したが、パネル本体の表面側から開口部に挿入して取り付ける植栽容器を用いるようにしても良い。この場合、植栽パネルを壁面に取り付ける前だけでなく、壁面に取り付けた後でもパネル本体に植栽容器を取り付けることができる。また、植栽容器の取り外しも、植栽パネルを壁面から取り外すことなく行うことができるため、植栽容器のレイアウト変更が容易である。
【００７９】
図１４及び図１５は、第１及び第２実施形態で説明した植栽容器の変形例を示す図であり、パネル本体の表面側から開口部に挿入して取り付ける植栽容器の外観斜視図である。
【００８０】
図１４に示すように、植栽容器１５０は、コ字状に形成され、ＧＲＣ等硬い素材で構成されている。植栽容器１５０の両端には、それぞれ挿通穴１５２が設けられている。一方、パネル本体１５４には、パネル本体１５４の表面１５４Ａから裏面１５４Ｂへ貫通する開口部１５６が形成されており、この開口部１５６の内壁両端には、それぞれタボ穴１５８が設けられている。
このような構成の下では、植栽容器１５０を、パネル本体１５４の表面１５４Ａ側から開口部１５６に挿入する。そして、２つのピン１６０を、各挿通穴１５２へ通してタボ穴１５８に留め、植栽容器１５０をパネル本体１５４に取り付ける。
【００８１】
また、図１５に示すように、植栽容器１６０は、コ字状に形成され、ＥＰＳやＦＲＰ等弾力性のある素材で構成されている。植栽容器１６０の両端には、それぞれ、くさび型の係止突起１６２が設けられている。一方、パネル本体１６４には、パネル本体１６４の表面１６４Ａから裏面１６４Ｂへ貫通する開口部１６６が形成されており、この開口部１６６の内壁両端には、係止突起１６２に対応する係止穴１６８がそれぞれ設けられている。
このような構成の下では、植栽容器１６０には弾力性があるため、植栽容器１６０の両端を多少縮み変形させながら、パネル本体１６４の表面１６４Ａ側から開口部１６６に挿入する。そして、この挿入を係止突起１６２が係止穴１６８に引っ掛るまで行い、植栽容器１６０をパネル本体１６４に取り付ける。この構成によれば、パネル本体１６４の表面１６４Ａ側から植栽容器１６０をワンタッチで取り付けることができる。
【００８２】
さらに、植栽容器をパネル本体の表面から開口部に挿入して取り付ける方法としては、接着剤でパネル本体に取り付けることも可能である。
【００８３】
ところで、上記第１実施形態では、図５に示すように、裏面１２Ｂに溝１６が形成されたパネル本体１２、嵌め込み台３８の裏面に隙間４２が形成された植栽容器３０、嵌め込み台５２の裏面に隙間５４が形成された目隠し蓋５０を用いる場合を説明したが、本発明は、図１６に示すように、上記のような溝や隙間が形成されていないパネル本体１７０、植栽容器１７２、目隠し蓋１７４を用いることも可能である。
【００８４】
また、上記第１実施形態では、植栽パネル１０を地面に直交する壁面６２に取り付ける壁面緑化構造６０について説明したが、図１７（Ａ）に示すように、植栽パネル１０を水平な地面１８０に対して例えば６０度以上９０度未満に傾斜した壁面１８２に取り付ける壁面緑化構造１８４を採用することもできる。但し、この場合、植栽容器３０が適宜加工等されていないと、植栽容器３０の収容部３２の上面３４が水平とならない。
【００８５】
しかしながら、本発明では、植栽パネル１０をパネル本体１２と植栽容器３０に分離することができるため、従来のようにパネル本体と植栽容器が一体成形されている場合に比べ、植栽容器３０を自由に加工できるため、壁面１８２の傾斜角度を予め把握し、収容部３２の上面３４が水平となるように植栽容器３０を容易に加工することができる。
【００８６】
図１７（Ｂ）は、図１７（Ａ）に示す植栽容器を加工した場合の壁面緑化構造を示す図である。図１７（Ｂ）に示す壁面緑化構造１８６では、収容部１８８の上面１９０が水平となるように植栽容器１９２が加工されている。このため、植栽パネル１０が取り付けられる壁面１８２が傾斜していても、収容部１８８から植物８４の実や種の流出を防ぎ、収容部１８８内で植物８４を自然に繰り返し育成させることができる。
【符号の説明】
【００８７】
１０  植栽パネル
１２  パネル本体
１４  開口部
３０  植栽容器
３２  収容部
３８  嵌め込み台（嵌め込み部材）
４４  フランジ
５０  目隠し蓋（蓋）
６０  壁面緑化構造
６２  壁面
７４  保水吸水シート（保水層）
８４  植物
１００  植栽パネル
１０２  パネル本体
１０４  開口部
１０６  壁テーパー面
１０８  植栽容器
１１０  蓋
１１２  嵌め込み台（嵌め込み部材）
１１４  容器テーパー面
１３０  植栽容器
１３２  収容部
１４０  植栽パネル
１５０  植栽容器
１５４  パネル本体
１５６  開口部
１６０  植栽容器
１６４  パネル本体
１６６  開口部
１７０  パネル本体
１７２  植栽容器
１７４  蓋
１８２  壁面
１８４  壁面緑化構造
１８６  壁面緑化構造
１８８  収容部
１９２  植栽容器
【図１】
2011024543.tif 000003
【図２】
2011024543.tif 000004
【図３】
2011024543.tif 000005
【図４】
2011024543.tif 000006
【図５】
2011024543.tif 000007
【図６】
2011024543.tif 000008
【図７】
2011024543.tif 000009
【図８】
2011024543.tif 000010
【図９】
2011024543.tif 000011
【図１０】
2011024543.tif 000012
【図１１】
2011024543.tif 000013
【図１２】
2011024543.tif 000014
【図１３】
2011024543.tif 000015
【図１４】
2011024543.tif 000016
【図１５】
2011024543.tif 000017
【図１６】
2011024543.tif 000018
【図１７】
2011024543.tif 000019
【図１８】
2011024543.tif 000020